(57)【特許請求の範囲】
【請求項１】
情報信号を拡散して多重することにより多重信号を生成する多重手段と、前記各多重信号を多重信号固有の搬送波に割り当てることにより周波数分割多重処理を行う周波数分割多重手段と、を具備し、前記多重手段は、生成した多重信号が割り当てられる搬送波の特性に応じて、多重する情報信号の数を設定することを特徴とするＯＦＤＭ−ＤＳ−ＣＤＭＡ通信装置。
【請求項２】
前記多重手段は、前記搬送波の特性として、この搬送波における隣接チャネル干渉波による影響の大きさまたはアナログフィルタによる影響の大きさを用いることを特徴とする請求項１に記載のＯＦＤＭ−ＤＳ−ＣＤＭＡ通信装置。
【請求項３】
前記多重手段は、前記搬送波の特性が劣化している場合には、他の多重手段に比べて前記多重する情報信号の数を小さく設定することを特徴とする請求項１または請求項２に記載のＯＦＤＭ−ＤＳ−ＣＤＭＡ通信装置。
【請求項４】
前記搬送波の特性が劣化している多重手段が多重する情報信号のうち、所定数の情報信号を拡散して多重することにより、前記搬送波の特性が劣化している多重手段に代わり多重信号を生成する第２多重手段を具備し、前記周波数分割多重手段は、前記第２多重手段により生成された多重信号をＤＣ搬送波に割り当てることを特徴とする請求項１から請求項３のいずれかに記載のＯＦＤＭ−ＤＳ−ＣＤＭＡ通信装置。
【請求項５】
請求項１から請求項４のいずれかに記載のＯＦＤＭ−ＤＳ−ＣＤＭＡ通信装置を備えたことを特徴とする通信端末装置。
【請求項６】
請求項１から請求項４のいずれかに記載のＯＦＤＭ−ＤＳ−ＣＤＭＡ通信装置を備えたことを特徴とする基地局装置。
【請求項７】
情報信号を拡散して多重することにより多重信号を生成する多重工程と、前記各多重信号を多重信号固有の搬送波に割り当てることにより周波数分割多重処理を行う周波数分割多重工程と、を具備し、前記多重工程は、生成した多重信号が割り当てられる搬送波の特性に応じて、多重する情報信号の数を設定することを特徴とするＯＦＤＭ−ＤＳ−ＣＤＭＡ通信方法。
【発明の詳細な説明】
【０００１】
【発明の属する技術分野】
本発明は、ディジタル移動体通信システムに用いられる通信装置に関し、特に、ＣＤＭＡ（Ｃｏｄｅ  Ｄｉｖｉｓｉｏｎ  Ｍｕｌｔｉｐｌｅ  Ａｃｃｅｓｓ）方式とＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を組み合わせたＯＦＤＭ−ＣＤＭＡ方式の無線通信を行う通信装置に関する。
【０００２】
【従来の技術】
最近、ＣＤＭＡ方式とＯＦＤＭ方式とを組み合わせたＯＦＤＭ−ＣＤＭＡ方式の通信が、注目され盛んに検討されている。このＯＦＤＭ−ＣＤＭＡ方式は、主に、拡散後の信号を周波数方向に配置する方式（一般に「ＯＦＤＭ−ＣＤＭＡ」方式と呼ばれている。）と、拡散後の信号を時間軸方向に配置する方式（一般に「ＯＦＤＭ−ＤＳ−ＣＤＭＡ」方式と呼ばれている。）に分類される。以下、ＯＦＤＭ−ＤＳ−ＣＤＭＡ方式を用いた通信装置（以下「ＯＦＤＭ−ＤＳ−ＣＤＭＡ通信装置」という。）について説明する。
【０００３】
図６は、従来のＯＦＤＭ−ＤＳ−ＣＤＭＡ通信装置における送信系の構成を示すブロック図である。ここでは、一例として、用いるサブキャリア（搬送波）の総数をｍとする。
【０００４】
図６を参照するに、割り当て先となるサブキャリア毎に対して、ｋ個の拡散部および１個の加算部が設けられている。すなわち、サブキャリア１に対しては、ｋ個の拡散部６０１ａ１および加算部６０２ａ１が設けられ、サブキャリア２に対しては、ｋ個の拡散部６０１ａ２および加算部６０２ａ２が設けられ、同様に、サブキャリアｍに対しては、ｋ個の拡散部６０１ａｍおよび加算部６０２ａｍが設けられている。
【０００５】
ｍｋ個の信号（情報信号）のうち、信号１〜信号ｋからなるｋ個の信号は、サブキャリア１に割り当てられる信号とされ、信号ｋ＋１〜信号２ｋからなるｋ個の信号は、サブキャリア２に割り当てられる信号とされ、同様に、信号（ｍ−１）ｋ＋１〜信号ｍｋのｋ個の信号は、サブキャリアｍに割り当てられる信号とされる。
【０００６】
サブキャリアｎ（ｎ＝１〜ｍ）に割り当てられるｋ個の信号は、それぞれ、このサブキャリアに対して設けられた拡散部により拡散される。すなわち、サブキャリア１に割り当てられる信号１〜信号ｋは、サブキャリア１に対して設けられた拡散部６０１ａ１により拡散される。同様に、サブキャリアｍに割り当てられる信号（ｍ−１）ｋ＋１〜信号ｍｋは、サブキャリアｍに対して設けられた拡散部６０１ａｍにより拡散される。なお、サブキャリアｎに対して設けられたｋ個の拡散部６０１ａｎでは、相互に異なる拡散符号系列が用いられている。
【０００７】
拡散部６０１ａｎにより拡散されたｋ個の信号は、加算部６０２ａｎにより多重される。加算部６０２ａｎにより多重される信号の総数（以下「信号多重数」という。）は、ｋとなる。加算部６０２ａｎにより多重された信号（以下「多重信号」という。）は、ＩＦＦＴ（Ｉｎｖｅｒｓｅ  Ｆａｓｔ  Ｆｏｕｒｉｅｒ  Ｔｒａｎｓｆｏｒｍ）部６０３に送られる。
【０００８】
ＩＦＦＴ部６０３では、加算部６０２ａｎからの多重信号に対するＩＦＦＴ（逆フーリエ変換）処理、すなわち、周波数分割多重処理がなされる。具体的には、加算部６０２ａｎからの多重信号にはサブキャリアｎが割り当てられて、周波数分割多重処理がなされる。
【０００９】
サブキャリアの割り当て方法は、図８に示す通りである。すなわち、加算部６０２ａ１からの多重信号にはサブキャリア１が割り当てられ、加算部６０２ａ２からの多重信号にはサブキャリア２が割り当てられ、同様に、加算部６０２ａｍからの多重信号にはサブキャリアｍが割り当てられる。
【００１０】
上記のようなＩＦＦＴ部６０３における周波数分割多重処理により、加算部６０２ａｎからの多重信号がサブキャリアに重畳された信号が得られる。
【００１１】
周波数分割多重処理により得られた信号は、所定の送信処理がなされることにより、送信信号が生成される。送信信号のフォーマットは、図９に示す通りである。ここで、ＴはＯＦＤＭシンボル周期である。図９には、３つのＯＦＤＭシンボルの様子が示されている。なお、上記所定の送信処理には、並列直列変換処理、Ｄ／Ａ変換処理、周波数変換処理および帯域制限処理等が含まれる。この送信信号は、アンテナ６０４を介して通信相手に対して送信される。
【００１２】
図７は、従来のＯＦＤＭ−ＤＳ−ＣＤＭＡ通信装置における受信系の構成を示すブロック図である。図７を参照するに、サブキャリア毎にｋ個の逆拡散部が設けられている。すなわち、サブキャリアｎ（ｎ＝１〜ｍ）に対して、ｋ個の逆拡散部７０３ａｎが設けられている。
【００１３】
通信相手により送信された信号は、アンテナ７０１を介して、本通信装置により受信される。なお、上記通信相手は、図６に示した通信装置を備えており、上述した処理を行うことにより得られた送信信号を送信するものである。
【００１４】
アンテナ７０１からの受信信号は、所定の受信処理がなされる。なお、上記所定の受信処理には、帯域制限処理、周波数変換処理、増幅処理、Ａ／Ｄ変換処理および直列並列変換処理等が含まれる。上記所定の受信処理がなされた受信信号は、ＦＦＴ（Ｆａｓｔ  Ｆｏｕｒｉｅｒ  Ｔｒａｎｓｆｏｒｍ）部７０２に送られる。
【００１５】
ＦＦＴ部７０２では、上記所定の受信処理がなされた受信信号に対するＦＦＴ（フーリエ変換）処理が行われることにより、サブキャリア１〜サブキャリアｍの各サブキャリアにより伝送された信号が取り出される。
【００１６】
サブキャリアｎにより伝送された信号は、逆拡散部７０３ａｎにより逆拡散される。すなわち、サブキャリア１により伝送された信号は、逆拡散部７０３ａ１により逆拡散され、同様に、サブキャリアｍにより伝送された信号は、逆拡散部７０３ａｍにより逆拡散される。この結果、逆拡散部７０３ａ１により信号１〜信号ｋからなるｋ個の信号が抽出され、同様に、逆拡散部７０３ａｍにより信号（ｍ−１）ｋ＋１〜信号ｍｋからなるｋ個の信号が抽出される。
【００１７】
【発明が解決しようとする課題】
しかしながら、上記従来のＯＦＤＭ−ＤＳ−ＣＤＭＡ通信装置においては、図８を参照するに、中心周波数軸上において中心周波数から離れたサブキャリアにより伝送された信号ほど、誤り率特性の劣化が大きくなるという問題がある。以下、中心周波数から離れたサブキャリアにより伝送された信号の誤り率特性が低下する原因について説明する。
【００１８】
まず第１に、隣接チャネルの干渉波（以下「隣接チャネル干渉波」という。）による影響が挙げられる。図１０において、サブキャリア群１００１は、希望信号（希望チャネル）に用いられるサブキャリアの配置例を示したものである。ここで、周波数軸上において、この希望チャネルに隣接するチャネルが存在する場合がある。この場合には、図１０に示すように、隣接するチャネルの干渉波、すなわち、第１隣接チャネル干渉波１００２および第２隣接チャネル干渉波１００３が、希望チャネルに干渉を与えることがある。
【００１９】
このような場合には、受信系においては、増幅処理時に用いられるアナログ増幅器は、上記各隣接チャネル干渉波の影響により、不要周波数成分を発生させる。これにより、希望信号には、上記不要周波数成分が重畳されることになる。
【００２０】
ここで、図１０から明らかなように、隣接チャネル干渉波の成分は、周波数軸上において、この隣接チャネルの中心周波数から離れるほど小さくなる。換言すれば、希望チャネルにおいては、隣接チャネル干渉波の影響は、この希望チャネルの中心周波数から離れたサブキャリアほど大きくなる。したがって、希望信号においては、希望チャネルの中心周波数から離れたサブキャリアほど、不要周波数成分が重畳されやすいので、特性が劣化することになる。この結果、中心周波数軸上において中心周波数から離れたサブキャリアにより伝送された信号ほど、誤り率特性の劣化が大きくなる。
【００２１】
第２に、送信系において用いられるアナログフィルタの影響が挙げられる。通常、送信系においては、ディジタル信号からアナログ信号に変換した送信信号の不要周波数成分を除去するために、この送信信号をアナログフィルタに通す。
【００２２】
図１１において、上記アナログフィルタは、サブキャリア群８０１に対して、特性曲線１１０２により表現されるようなフィルタ位相特性を有し、また、特性曲線１１０３により表現されるようなフィルタ減衰特性を有する。
【００２３】
送信信号が上記のような特性を有するアナログフィルタを通過した場合には、フィルタの遮断周波数に近いサブキャリア、すなわち中心周波数から離れたサブキャリアは、電力減衰や位相回転等の影響を受けるので、特性が劣化する。このため、受信系においては、中心周波数から離れたサブキャリアにより伝送された信号ほど、誤り率特性の劣化が大きくなる。
【００２４】
以上のように、従来のＯＦＤＭ−ＤＳ−ＣＤＭＡ通信装置においては、隣接チャネル干渉波およびアナログフィルタの特性により、希望信号の中心周波数から離れたサブキャリアにより伝送された信号の誤り率特性が劣化する。
【００２５】
本発明は、かかる点に鑑みてなされたものであり、誤り率特性の劣化を低減させるＯＦＤＭ−ＤＳ−ＣＤＭＡ通信装置を提供することを目的とする。
【００２６】
【課題を解決するための手段】
本発明のＯＦＤＭ−ＤＳ−ＣＤＭＡ通信装置は、情報信号を拡散して多重することにより多重信号を生成する多重手段と、前記各多重信号を多重信号固有の搬送波に割り当てることにより周波数分割多重処理を行う周波数分割多重手段と、を具備し、前記多重手段は、生成した多重信号が割り当てられる搬送波の特性に応じて、多重する情報信号の数を設定することを特徴とする。
【００２７】
本発明によれば、各搬送波の特性に応じて、各搬送波に割り当てる信号の信号多重数を設定することにより、上記搬送波により伝送された信号の誤り率特性の劣化を抑えることができる。
【００２８】
本発明のＯＦＤＭ−ＤＳ−ＣＤＭＡ通信装置は、前記多重手段は、前記搬送波の特性として、この搬送波における隣接チャネル干渉波による影響の大きさまたはアナログフィルタによる影響の大きさを用いることを特徴とする。
【００２９】
本発明によれば、各搬送波の特性に応じて、すなわち、各搬送波における隣接チャネル干渉波による影響の大きさおよびアナログフィルタ特性による影響の大きさに応じて、各搬送波に割り当てる信号の信号多重数を設定することにより、上記搬送波により伝送された信号の誤り率特性の劣化を抑えることができる。
【００３０】
本発明のＯＦＤＭ−ＤＳ−ＣＤＭＡ通信装置は、前記多重手段は、前記搬送波の特性が劣化している場合には、他の多重手段に比べて前記多重する情報信号の数を小さく設定することを特徴とする。
【００３１】
本発明によれば、生成した多重信号の割り当て先となる搬送波の特性が劣化している場合には、この搬送波に割り当てる信号の信号多重数を他の搬送波に比べて小さくすることにより、この搬送波により伝送される信号の誤り率特性の劣化を抑えることができる。
【００３２】
本発明のＯＦＤＭ−ＤＳ−ＣＤＭＡ通信装置は、前記搬送波の特性が劣化している多重手段が多重する情報信号のうち、所定数の情報信号を拡散して多重することにより、前記搬送波の特性が劣化している多重手段に代わり多重信号を生成する第２多重手段を具備し、前記周波数分割多重手段は、前記第２多重手段により生成された多重信号をＤＣ搬送波に割り当てることを特徴とする。
【００３３】
本発明によれば、特性が劣化している搬送波に割り当てる信号については信号多重数を減少させ、減少させた分の情報信号が多重された信号をＤＣ搬送波に割り当てることにより、伝送効率の低下を防ぎつつ、各搬送波により伝送される信号の誤り率特性の劣化を抑えることができる。
【００３４】
本発明の通信端末装置は、上記いずれかのＯＦＤＭ−ＤＳ−ＣＤＭＡ通信装置を備えたことを特徴とする。
【００３５】
本発明によれば、誤り率特性の劣化を低減させるＯＦＤＭ−ＤＳ−ＣＤＭＡ通信装置を備えることにより、良好な通信を行う通信端末装置を提供することができる。
【００３６】
本発明の基地局装置は、上記いずれかのＯＦＤＭ−ＤＳ−ＣＤＭＡ通信装置を備えたことを特徴とする。
【００３７】
本発明によれば、誤り率特性の劣化を低減させるＯＦＤＭ−ＤＳ−ＣＤＭＡ通信装置を備えることにより、良好な通信を行う基地局装置を提供することができる。
【００３８】
本発明のＯＦＤＭ−ＤＳ−ＣＤＭＡ通信方法は、情報信号を拡散して多重することにより多重信号を生成する多重工程と、前記各多重信号を多重信号固有の搬送波に割り当てることにより周波数分割多重処理を行う周波数分割多重工程と、を具備し、前記多重工程は、生成した多重信号が割り当てられる搬送波の特性に応じて、多重する情報信号の数を設定することを特徴とする。
【００３９】
本発明によれば、本発明によれば、各搬送波の特性に応じて、各搬送波に割り当てる信号の信号多重数を設定することにより、上記搬送波により伝送された信号の誤り率特性の劣化を抑えることができる。
【００４０】
【発明の実施の形態】
本発明の骨子は、搬送波（サブキャリア）の特性に応じて、各搬送波に割り当てられる信号の信号多重数を設定するようにしたことである。
【００４１】
以下、本発明の実施の形態について、図面を参照して詳細に説明する。
【００４２】
（実施の形態１）
図１は、本発明の実施の形態１にかかるＯＦＤＭ−ＤＳ−ＣＤＭＡ通信装置の送信系の構成を示すブロック図である。図２は、本発明の実施の形態１にかかるＯＦＤＭ−ＤＳ−ＣＤＭＡ通信装置の受信系の構成を示すブロック図である。ここでは、一例として、本実施の形態にかかるＯＦＤＭ−ＤＳ−ＣＤＭＡ通信装置が用いるサブキャリア（搬送波）をサブキャリア１〜サブキャリアｍであるものとする。
【００４３】
また、本実施の形態にかかるＯＦＤＭ−ＤＳ−ＣＤＭＡ通信装置においては、隣接チャネル干渉波の中心周波数は既知なものであり、用いるアナログフィルタの特性も既知なものであるとする。具体的には、例えば、この隣接チャネル干渉波は、中心周波数から周波数軸上最も離れたサブキャリア１およびサブキャリアｍに対して所定のしきい値を上回る干渉を与えている（逆に言えば、サブキャリア１およびサブキャリアの特性は、隣接チャネル干渉波の影響により劣化している）ものとし、上記アナログフィルタは、サブキャリ１およびサブキャリアｍに対して所定のしきい値を上回る電力減衰や位相回転等の影響を与える（逆に言えば、サブキャリア１およびサブキャリアｍの特性は、アナログフィルタの影響により劣化いしている）ものとする。
【００４４】
まず、本実施の形態にかかるＯＦＤＭ−ＤＳ−ＣＤＭＡ通信装置の送信系について、図１を参照して説明する。図１を参照するに、割り当て先となるサブキャリア毎（サブキャリア１およびサブキャリアｍを除く）に対して、ｋ個の拡散部および１個の加算部が設けられている。ただし、割り当て先となるサブキャリア１およびサブキャリアｍに対しては、ｋ／２個の拡散部および１個の加算部が設けられている。
【００４５】
すなわち、サブキャリア２に対しては、ｋ個の拡散部１０１ａ２および１個の加算部１０２ａ２が設けられ、同様に、サブキャリアｍ−１に対しては、ｋ個の拡散部１０１ａｍ−１および１個の加算部１０２ａｍ−１が設けられている。また、サブキャリア１に対しては、ｋ／２個の拡散部１０１ａ１および１個の加算部１０２ａ１が設けられ、同様に、サブキャリアｍに対しては、ｋ／２個の拡散部１０１ａｍおよび１個の加算部１０２ａｍが設けられている。
【００４６】
全信号（全情報信号）のうち、信号１〜信号ｋ／２からなるｋ／２個の信号は、サブキャリア１に割り当てられる信号とされ、信号ｋ／２＋１〜信号ｋからなるｋ／２個の信号は、サブキャリアｍに割り当てられる信号とされる。また、全信号（全情報信号）のうち、信号ｋ＋１〜信号２ｋからなるｋ個の信号は、サブキャリア２に割り当てられる信号とされ、同様に、信号（ｍ−２）ｋ＋１〜信号（ｍ−１）ｋのｋ個の信号は、サブキャリアｍ−１に割り当てられる信号とされる。
【００４７】
サブキャリアｊ（ｊ＝１，ｍ）に割り当てられるｋ／２個の信号は、それぞれ、このサブキャリアに対して設けられた拡散部により拡散される。すなわち、サブキャリア１に割り当てられる信号１〜信号ｋ／２は、サブキャリア１に対して設けられた拡散部１０１ａ１により拡散される。同様に、サブキャリアｍに割り当てられる信号ｋ／２＋１〜信号ｋは、サブキャリアｍに対して設けられた拡散部１０１ａｍにより拡散される。なお、サブキャリアｊに対して設けられたｋ／２個の拡散部１０１ａｊでは、相互に異なる拡散符号系列が用いられている。
【００４８】
サブキャリアｎ（ｎ＝２〜ｍ−１）に割り当てられるｋ個の信号は、それぞれ、このサブキャリアに対して設けられた拡散部により拡散される。すなわち、サブキャリア２に割り当てられる信号ｋ＋１〜信号２ｋは、サブキャリア２に対して設けられた拡散部１０１ａ２により拡散される。同様に、サブキャリアｍ−１に割り当てられる信号（ｍ−２）ｋ＋１〜信号（ｍ−１）ｋは、サブキャリアｍ−１に対して設けられた拡散部１０１ａｍ−１により拡散される。なお、サブキャリアｍに対して設けられたｋ個の拡散部１０１ａｎでは、相互に異なる拡散符号系列が用いられている。
【００４９】
なお、拡散部に対する拡散符号系列の割り当て方は、各サブキャリアに対応して設けられた拡散部において、各拡散部に割り当てる拡散符号系列が、その他の拡散部と相互に異なるという条件のもとで、以下のように決定することができる。すなわち、各サブキャリアに対応して設けられた拡散部に、全サブキャリアにおいて共通の拡散符号系列を割り当ててもよいし、各サブキャリアに対応して設けられた拡散部毎に、固有の拡散符号系列を割り当ててもよい。さらに、各サブキャリアに対応して設けられた拡散部において、特定のサブキャリアに対応する拡散部に、共通の拡散符号系列を割り当てることも可能である。
【００５０】
拡散部１０１ａｊにより拡散されたｋ／２個の信号は、加算部１０２ａｊにより多重され、拡散部１０１ａｎにより拡散されたｋ個の信号は、加算部６０２ａｎにより多重される。加算部１０２ａｊにおける信号多重数はｋ／２となり、加算部１０２ａｎにおける信号多重数はｋとなる。すなわち、所定のしきい値を上回る隣接チャネル干渉波による干渉、または所定のしきい値を上回る電力減衰や位相回転等の影響を受けるサブキャリア（サブキャリア１およびサブキャリアｍ）については、信号多重数は、その他のサブキャリアの信号多重数ｋより小さいｋ／２とされる。
【００５１】
加算部１０２ａｊおよび加算部１０２ａｎからの多重信号は、ＩＦＦＴ部１０３に送られる。ＩＦＦＴ部１０３では、加算部１０２ａｊおよび加算部１０２ａｎからの多重信号に対するＩＦＦＴ（逆フーリエ変換）処理、すなわち、周波数分割多重処理がなされる。具体的には、加算部１０２ａｊおよび加算部１０２ａｎからの多重信号には、サブキャリア１〜サブキャリアｍが割り当てられて、周波数分割多重処理がなされる。
【００５２】
サブキャリアの割り当て方法は、図８に示す通りである。すなわち、加算部１０２ａ１からの多重信号にはサブキャリア１が割り当てられ、加算部６０２ａ２からの多重信号にはサブキャリア２が割り当てられ、同様に、加算部６０２ａｍからの多重信号にはサブキャリアｍが割り当てられる。
【００５３】
上記のようなＩＦＦＴ部１０３における周波数分割多重処理により、加算部１０２ａｊおよび加算部１０２ａｎからの多重信号がサブキャリアに重畳された信号が得られる。
【００５４】
周波数分割多重処理により得られた信号は、所定の送信処理がなされることにより、送信信号が生成される。送信信号のフォーマットは、図３に示す通りである。ここで、ＴはＯＦＤＭシンボル周期である。図３には、３つのＯＦＤＭシンボルの様子が示されている。なお、上記所定の送信処理には、並列直列変換処理、Ｄ／Ａ変換処理、周波数変換処理および帯域制限処理等が含まれる。この送信信号は、アンテナ１０４を介して通信相手に対して送信される。
【００５５】
次に、本実施の形態にかかるＯＦＤＭ−ＤＳ−ＣＤＭＡ通信装置の受信系について、図２を参照して説明する。図２を参照するに、サブキャリア毎にｋ／２個またはｋ個の逆拡散部が設けられている。すなわち、サブキャリアｊ（ｊ＝１，ｍ）に対して、ｋ／２個の逆拡散部２０３ａｊが設けられ、サブキャリアｎ（ｎ＝２〜ｍ−１）に対して、ｋ個の逆拡散部ａｎが設けられている。
【００５６】
通信相手により送信された信号は、アンテナ２０１を介して、本通信装置により受信される。なお、上記通信相手は、図１に示した通信装置を備えており、上述した処理を行うことにより得られた送信信号を送信するものである。
【００５７】
アンテナ２０１からの受信信号は、所定の受信処理がなされる。なお、上記所定の受信処理には、帯域制限処理、周波数変換処理、増幅処理、Ａ／Ｄ変換処理および直列並列変換処理等が含まれる。上記所定の受信処理がなされた受信信号は、ＦＦＴ部２０２に送られる。
【００５８】
ＦＦＴ部２０２では、上記所定の受信処理がなされた受信信号に対するＦＦＴ（フーリエ変換）処理が行われることにより、サブキャリア１〜サブキャリアｍの各サブキャリアにより伝送された信号が取り出される。
【００５９】
サブキャリアｊにより伝送された信号は、逆拡散部２０３ａｊにより逆拡散され、サブキャリアｎにより伝送された信号は、逆拡散部２０３ａｎにより逆拡散される。この結果、逆拡散部２０３ａ１および逆拡散部２０３ａｍにより、それぞれ、信号１〜信号ｋ／２からなるｋ／２個の信号および信号ｋ／２＋１〜信号ｋからなるｋ／２個の信号が抽出される。また、逆拡散部２０３ａ２により信号ｋ＋１〜信号２ｋからなるｋ個の信号が抽出され、同様に、逆拡散部２０３ａｍ−１により信号（ｍ−２）ｋ＋１〜信号（ｍ−１）ｋからなるｋ個の信号が抽出される。
【００６０】
以上の説明から明らかなように、隣接チャネル干渉波による干渉が所定のしきい値を上回るサブキャリア、および、アナログフィルタによる電力減衰や位相回転等の影響が所定のしきい値を上回るサブキャリア（すなわち、一般的に、希望信号の中心周波数から周波数軸上離れたサブキャリア）については、このサブキャリアに割り当てる信号の信号多重数を小さくする。例えば、サブキャリア１およびサブキャリアｍに割り当てる信号の信号多重数として、他のサブキャリアに割り当てる信号の信号多重数ｋに代えて、ｋ／２を用いている。
【００６１】
一般に、ＯＦＤＭ−ＤＳ−ＣＤＭＡ方式においては、信号多重数を小さくすることにより、受信系における誤り率特性の劣化を抑えることができる。したがって、サブキャリア１およびサブキャリアｍにより伝送された信号に対する逆拡散処理により得られる復調信号は、誤り率特性の良好な信号となる。
【００６２】
ここで、サブキャリア１およびサブキャリアｍに割り当てる信号の信号多重数を小さくしたことにより、これらのサブキャリアの伝送効率は低下するものの、総サブキャリア数が多い場合には、全体的な伝送効率の低下はわずかなものとなる。例えば、総サブキャリア数を３２とした場合、中心周波数より周波数軸上最も離れた２つのサブキャリアに割り当てる信号の信号多重数を１／２とすると、全体の伝送効率は約３％低下するのみである。
【００６３】
ここまでは、隣接チャネル干渉波の中心周波数が既知である場合について説明したが、本発明は、隣接チャネル干渉波の中心周波数および信号レベルが既知でない場合や、隣接チャネル干渉波の信号レベルや位相等がフェージング等により変化する場合にも適用可能なものである。この場合には、全サブキャリアのうち、隣接チャネル干渉波の干渉等の影響が所定のしきい値を上回るサブキャリアを検出し、検出されたサブキャリアに割り当てる信号の信号多重数を小さくすればよい。
【００６４】
このように、本実施の形態によれば、全サブキャリアのうち、隣接チャネル干渉波の干渉およびアナログフィルタ特性の影響を受けやすいサブキャリア（特に、希望信号の中心周波数から離れたサブキャリア）に割り当てる信号の信号多重数を、その他のサブキャリアに割り当てる信号の信号多重数より小さくすることにより、上記サブキャリアにより伝送された信号の誤り率特性の劣化を抑えることができる。換言すれば、各サブキャリアの特性、すなわち、例えば、各サブキャリアにおける隣接チャネル干渉波による影響の大きさやアナログフィルタ特性による影響の大きさに応じて、各サブキャリアに割り当てる信号の多重信号数を設定することにより、上記サブキャリアにより伝送された信号の誤り率特性の劣化を抑えることができる。
【００６５】
なお、本実施の形態においては、隣接チャネル干渉波の影響およびアナログフィルタ特性の影響を受けやすいサブキャリアに割り当てる信号の信号多重数を、その他のサブキャリアに割り当てる信号の信号多重数の１／２とした場合について説明したが、本発明は、これに限定されず、隣接チャネル干渉波やアナログフィルタの影響の大きさ等に応じて上記各サブキャリア毎に、信号多重数を設定した場合についても適用可能なものである。これにより、各サブキャリア毎に、隣接チャネル干渉波の干渉およびアナログフィルタ特性の影響が相違する場合においても、誤り率特性の劣化を抑えることができる。
【００６６】
また、本実施の形態においては、中心周波数から周波数軸上離れたサブキャリアに割り当てる信号の信号多重数を小さくすることにより、さらに、以下のような効果が得られる。すなわち、ＯＦＤＭ方式、ＯＦＤＭ−ＣＤＭＡ方式およびＯＦＤＭ−ＤＳ−ＣＤＭＡ方式では、ある希望信号において、各サブキャリアのサイドローブ成分により不要周波数成分が発生する。これらの各サブキャリアによる不要周波数成分のうち、中心周波数から離れたサブキャリアのサイドローブ成分による不要周波数成分が、この希望信号による他チャネルに対する干渉成分となる。
【００６７】
ここで、本実施の形態においては、信号多重数を小さくしたサブキャリアの信号レベルを小さくすることができる。すなわち、中心周波数から離れたサブキャリアの信号レベルを小さくすることができる。これにより、この希望信号が他チャネルに与える干渉をも低減させることができる。
【００６８】
（実施の形態２）
本実施の形態では、実施の形態１において、総サブキャリア数が少ない際に伝送効率を低下させないようにする場合について説明する。
【００６９】
上述した実施の形態１においては、総サブキャリア数が多い場合には、隣接チャネル干渉波の干渉およびアナログフィルタ特性の影響を受けやすいサブキャリアに割り当てる信号の信号多重数を小さくしても、全体的な伝送効率は低下しない。ところが、総サブキャリア数が少ない場合には、上記のようなサブキャリアに割り当てる信号の信号多重数を小さくすると、全体的な伝送効率が低下する。例えば、総サブキャリア数を４とし、中心周波数から離れた２つのサブキャリアに割り当てる信号の信号多重数を、他のサブキャリアに対応する信号多重数の１／２とした場合には、全体的な伝送効率は１／４に低下する。
【００７０】
そこで、本実施の形態においては、あるサブキャリアに割り当てる信号の信号多重数を小さくすることにより多重されなくなる信号を、ＤＣに配置したサブキャリアにより伝送する。
【００７１】
以下、本実施の形態にかかるＯＦＤＭ−ＤＳ−ＣＤＭＡ通信装置について、図４および図５を参照して説明する。なお、本実施の形態における実施の形態１と相違する事項のみ説明する。図４は、ＯＦＤＭ−ＤＳ−ＣＤＭＡ通信装置におけるサブキャリアの配置の様子を示す模式図である。図５は、本発明の実施の形態２にかかるＯＦＤＭ−ＤＳ−ＣＤＭＡ通信装置におけるサブキャリアの配置の様子を示す模式図である。
【００７２】
図４を参照するに、ＤＣにサブキャリアを配置した場合には、ＤＣオフセットにより誤り率特性が劣化する。さらに、総サブキャリア数は通常偶数とされるため、ＤＣにサブキャリアを配置しても、希望信号帯域は変化しない。このような理由から、一般には、誤り率特性の劣化を防止するため、ＤＣにはサブキャリアを配置しないことが多い。
【００７３】
以下、ＤＣに配置するサブキャリアについて説明する。ＣＤＭＡ方式において、ＤＣオフセットが存在する場合を考える。逆拡散後のＤＣオフセットは、次に示す式により表現される。
【数１】
0003544637.tif 000002
ただし、ＤＣはＤＣオフセットであり、ＲＥＦ（ｎＴ）は時刻ｎＴにおける拡散符号であり、Ｎは拡散比であり、Ｔはサンプル周期である。
【００７４】
ここで、一般に、拡散符号の周期（ＮＴ）においては、ＤＣオフセットは一定であるとみなすことができるので、上式▲１▼は次式により表現される。
【数２】
0003544637.tif 000003
【００７５】
上式▲２▼において、（＋１の符号数）−（−１の符号数）＝１の場合には、ＤＣオフセットは、逆拡散により１／拡散比に減衰される。また、（＋１の符号数）と（−１の符号数）が同じである場合には、ＤＣオフセットは逆拡散により完全に除去される。以上のように、ＣＤＭＡ方式においては、ＤＣオフセットによる誤り率の劣化は低減される。
【００７６】
したがって、本実施の形態にかかるＯＦＤＭ−ＤＳ−ＣＤＭＡ通信装置においては、図５に示すように、ＤＣにサブキャリア（サブキャリア＃０）を配置する。以下、ＤＣに配置したサブキャリアを「ＤＣサブキャリア（ＤＣ搬送波）」と呼ぶ。
【００７７】
さらに、ＤＣサブキャリアには、あるサブキャリアに割り当てる信号の信号多重数を小さくすることにより多重されなくなる信号を割り当てる。すなわち、例えば、実施の形態１で説明した例では、サブキャリア１およびサブキャリアｍに割り当てる信号の信号多重数はｋからｋ／２とされるので、多重されなくなる信号（全ｋ個）を、ＤＣサブキャリアに割り当てる。
【００７８】
このように、本実施の形態によれば、あるサブキャリアに割り当てる信号の信号多重数を小さくすることにより多重されなくなる信号を、ＤＣに配置したサブキャリアにより伝送することにより、総サブキャリア数が少ない際においても、伝送効率を低下させることなく、誤り率特性の劣化を抑えることができる。
【００７９】
本発明にかかるＯＦＤＭ−ＤＳ−ＣＤＭＡ通信装置は、ディジタル移動体通信システムにおける移動局装置や基地局装置、および、無線ＬＡＮシステムにおける通信端末装置に搭載可能なものである。
【００８０】
【発明の効果】
以上説明したように、本発明によれば、搬送波（サブキャリア）の特性に応じて、各搬送波に割り当てられる信号の信号多重数を設定するようにしたので、誤り率特性の劣化を低減させるＯＦＤＭ−ＤＳ−ＣＤＭＡ通信装置を提供することができる。
【図面の簡単な説明】
【図１】本発明の実施の形態１にかかるＯＦＤＭ−ＤＳ−ＣＤＭＡ通信装置の送信系の構成を示すブロック図
【図２】本発明の実施の形態１にかかるＯＦＤＭ−ＤＳ−ＣＤＭＡ通信装置の受信系の構成を示すブロック図
【図３】本発明の実施の形態１にかかるＯＦＤＭ−ＤＳ−ＣＤＭＡ通信装置における送信信号のフォーマットを示す模式図
【図４】ＯＦＤＭ−ＤＳ−ＣＤＭＡ通信装置におけるサブキャリアの配置の様子を示す模式図
【図５】本発明の実施の形態２にかかるＯＦＤＭ−ＤＳ−ＣＤＭＡ通信装置におけるサブキャリアの配置の様子を示す模式図
【図６】従来のＯＦＤＭ−ＤＳ−ＣＤＭＡ通信装置における送信系の構成を示すブロック図
【図７】従来のＯＦＤＭ−ＤＳ−ＣＤＭＡ通信装置における受信系の構成を示すブロック図
【図８】ＯＦＤＭ−ＤＳ−ＣＤＭＡ通信装置におけるサブキャリアの配置の様子の一例を示す模式図
【図９】従来のＯＦＤＭ−ＤＳ−ＣＤＭＡ通信装置における送信信号のフォーマットを示す模式図
【図１０】従来のＯＦＤＭ−ＤＳ−ＣＤＭＡ通信装置における隣接チャネル干渉波による影響の様子を示す模式図
【図１１】従来のＯＦＤＭ−ＤＳ−ＣＤＭＡ通信装置におけるアナログフィルタによる影響を示す模式図
【符号の説明】
１０１ａ１〜１０１ａｍ  拡散部
１０２ａ１〜１０２ａｍ  加算部
１０３  ＩＦＦＴ部
１０４  アンテナ
【図１】
0003544637.tif 000004
【図２】
0003544637.tif 000005
【図３】
0003544637.tif 000006
【図４】
0003544637.tif 000007
【図５】
0003544637.tif 000008
【図６】
0003544637.tif 000009
【図７】
0003544637.tif 000010
【図８】
0003544637.tif 000011
【図９】
0003544637.tif 000012
【図１０】
0003544637.tif 000013
【図１１】
0003544637.tif 000014